(57)【要約】【課題】様々な場所に設置でき、その設置場所に応じて、粘着シートを視認し難く、かつ充分な捕虫効果を有し得る捕虫器を提供する。【解決手段】筒状筐体２を構成する割筒状の取付基盤１１に、誘虫ランプ５と粘着シート６とが装着され、筒状筐体２の両側板２１，２１に形成された略円環状の摺動ガイド２２，２２に、断面円弧状の開閉引戸３，３が任意の回動位置に移動可能に装着されてなり、開閉引戸３，３を回動して筒状筐体２の捕虫開口１０を開閉するようにしたものであるから、設置場所に応じて、内部の粘着シート６を視認できないように開閉引戸３，３の回動位置を設定できる。さらに、所定の期間（時間帯）に応じて、開閉引戸３，３を、粘着シート６を視認できない回動位置と、捕虫開口１０を開放して捕虫効果を高める回動位置とに変換することもできる。【選択図】図３
0003123391.tif 000002
【実用新案登録請求の範囲】
【請求項１】
紫外線を発する誘虫ランプと捕虫用の粘着シートとが内部に配設された捕虫器において、
誘虫ランプと粘着シートとが内側に装着される割筒状の取付基盤と、取付基盤の両側に設けられ、その内面に、互いに対向するように略円環状の摺動ガイドが夫々形成された側板とからなり、側板間に幅広状の捕虫開口が形成された筒状筐体と、
両端が両側板の摺動ガイドに連係されて任意の回動位置に移動可能に装着され、捕虫開口を開閉する断面円弧状の開閉引戸と
を備えたものであることを特徴とする捕虫器。
【請求項２】
二枚の開閉引戸を、筒状筐体の両側板の摺動ガイドに夫々連係させて移動可能に装着してなるものである請求項１に記載の捕虫器。
【請求項３】
筒状筐体の取付基盤が、長手方向に沿って扁平した設置面部を備えたものである請求項１又は請求項２に記載の捕虫器。
【請求項４】
筒状筐体が、取付基盤と側板とを締付螺子により結合してなるものであり、締付螺子を緊締することにより、開閉引戸を、両摺動ガイドにより挟圧して任意の回動位置に保持可能としたものである請求項１乃至請求項３のいずれかに記載の捕虫器。
【請求項５】
筒状筐体の取付基盤は、その背側となる部位に、開閉引戸が捕虫開口を閉鎖する閉鎖回動位置に在る状態で開放される、複数の捕虫孔を備えたものである請求項１乃至請求項４のいずれかに記載の捕虫器。
【請求項６】
筒状筐体の取付基盤が、誘虫ランプを装着するソケットと、該ソケットの前方に配設され、装着された誘虫ランプの前方を覆うように粘着シートを張設する連結部材とを備えたものである請求項１乃至請求項５のいずれかに記載の捕虫器。
【請求項７】
筒状筐体又は／および開閉引戸が、光触媒を含有した樹脂から成形されたものである請求項１乃至請求項６のいずれかに記載の捕虫器。
【考案の詳細な説明】
【技術分野】
【０００１】
本考案は、ハエや蚊などの飛翔虫を捕獲する捕虫器に関するものである。
【背景技術】
【０００２】
ハエや蛾などの飛翔虫の好む紫外線を発する誘虫ランプと、該誘虫ランプに誘引された飛翔虫を捕獲する粘着シートとが内部に配設された捕虫器は広く知られている（例えば特許文献１）。ここで、特許文献１の捕虫器にあっては、表面に凹凸が形成された透明カバーにより、誘虫ランプを下方および側方から覆う構成としていることから、誘引源である紫外線を広範囲に照射して、多くの飛翔虫を誘引可能とすると共に、粘着シートを下方から視認し難くしている。このように粘着シートを視認し難くしたことによって、店舗やオフィスなど清潔感が求められるところで好適に使用できるようにしている。また、この捕虫器は、誘引した飛翔虫を感電死させるのではなく、粘着シートに付着させて捕獲するため、電気代が安く、安全性も高いといった利点を有している。
【特許文献１】特許第３１６１７８５号公報
【考案の開示】
【考案が解決しようとする課題】
【０００３】
ところで、上述した従来の、透明カバーに凹凸を形成した構成にあっては、凹凸形状による光の屈折作用により、該透明カバーに覆われた粘着シートを外部から視認し難くしているものである。しかし、粘着シートに捕獲された飛翔虫が増えるに従って、それが目立ってくるため、視認性を低下させる作用に限界がある。また、この従来構成の捕虫器は、天井に設置した場合に粘着シートを視認し難くできるものである。これを壁に横向きに設置した場合には、開口部分が上方及び下方となり、また、壁に縦向きに設置した場合には、開口部分が側方となるから、この開口部分から粘着シートを視認できてしまう。すなわち、従来構成は、設置場所を天井に限定するものであり、別の場所（例えば壁）に設置した場合では、粘着シートを視認し難くする作用を発揮できないのである。
【０００４】
また、上述した透明カバーを備えた構成にあっては、粘着シートを交換する場合に、透明カバーを脱着する作業を必要とする。この従来構成は、天井に配設されるものであるから、粘着シートの交換作業に手間が掛かるという問題も有していた。
【０００５】
本考案は、上記した問題点を解決し、様々な場所に設置でき、その設置場所に応じて、粘着シートを視認し難くでき、かつ充分な捕虫効果を有し得る捕虫器の提供を目的とする。
【課題を解決するための手段】
【０００６】
本考案は、紫外線を発する誘虫ランプと、捕虫用の粘着シートとが内部に配設された捕虫器において、誘虫ランプと粘着シートとが内側に装着される割筒状の取付基盤と、取付基盤の両側に設けられ、その内面に、互いに対向するように略円環状の摺動ガイドが夫々形成された側板とからなり、側板間に幅広状の捕虫開口が形成された筒状筐体と、両端が両側板の摺動ガイドに連係されて任意の回動位置に移動可能に装着され、捕虫開口を開閉する断面円弧状の開閉引戸とを備えたものであることを特徴とする。
【０００７】
かかる構成にあっては、開閉引戸を、捕虫開口を閉鎖する回動位置、捕虫開口を部分的に開放する回動位置、捕虫開口を広く開放する回動位置等に、任意に移動できるのである。このため、設置場所に応じて、内部に配設した粘着シートを捕虫開口から視認できないように、開閉引戸の回動位置を定めることができるのである。例えば、本構成の捕虫器を、壁の上部に横向きに設置した場合に、開閉引戸を下方へ回動し、捕虫開口の下部を閉鎖すると共に上部を開放した回動位置とすることによって、下方から粘着シートを視認不可とし、かつ捕虫開口の上部から飛翔虫を捕獲できることとなる。
【０００８】
また、開閉引戸は移動可能であることから、期間（時間帯）毎に回動位置を変えることが可能である。そのため、特定の期間では、開閉引戸を捕虫開口を閉鎖する回動位置としておき、これ以外の期間では、開閉引戸を捕虫開口を開放する回動位置とする。これにより、粘着シートを視認できない状態と、捕虫開口を開放して捕虫効果を高めた状態とを、期間毎に使い分けることができる。例えば、捕虫器を店舗などの壁に縦向きに設置したり、天井に設置したり、テーブル等の上に置いたりした場合に、その開店時間帯では、開閉引戸を捕虫開口を閉鎖する閉鎖回動位置とし、閉店時間帯では、捕虫開口を大きく開放する開放回動位置とする。これにより、店舗などで求められる清潔感と捕虫効果との両者を満足させることができるのである。
【０００９】
このように、本考案の捕虫器は、様々な場所に設置されて、その設置場所に応じて、粘着シートを視認できない効果と捕虫効果とを適宜発揮できるものである。したがって、店舗やオフィスなど清潔感が求められるところで、そこに適した設置場所で使用できるようになっており、優れた汎用性を有している。
【００１０】
また、開閉引戸を、捕虫開口を最も大きく開放する回動位置とすることにより、捕虫開口から、粘着シートを交換することも可能となる。したがって、粘着シートの交換作業を容易に行い得る。
【００１１】
上述した捕虫器にあって、二枚の開閉引戸を、筒状筐体の両側板の摺動ガイドに夫々連係させて移動可能に装着した構成が提案される。
【００１２】
ここで、開閉引戸は、捕虫開口を閉鎖できるものであるから、少なくとも捕虫開口と同じ幅寸法を有する必要がある。このため、仮に一枚の開閉引戸が装着されている場合には、捕虫開口を全体的に開放するために、その一側へ大きく回動させる必要がある。一方、二枚の開閉引戸では、各幅寸法を、少なくとも捕虫開口の半分の幅とすれば良いから、それぞれを捕虫開口の両側へ回動することにより捕虫開口を全体的に開放でき、その回動距離も短くなる。そして、捕虫器は、その構成上又は設置場所の関係で、開閉引戸の回動距離に制限が生じた場合に、回動距離の短い方が捕虫開口の開放幅を大きくできることとなる。すなわち、二枚の開閉引戸を装着した方が、捕虫開口をより幅広く設定し、かつより大きく開放できることから、捕虫開口の開放時における捕虫効果が一層高まると共に、捕虫開口から粘着シートを交換する作業を一層容易に行い得る。
【００１３】
上述した捕虫器にあって、筒状筐体の取付基盤が、長手方向に沿って扁平した設置面部を備えた構成が提案される。
【００１４】
かかる構成にあっては、設置面部を壁や天井などに対向させて設置することにより、設置状態が安定する。また、台座などの上に設置面部を下にして載せることにより、安定して設置できる。すなわち、設置状態を安定させるために、別の部材を必要としないのである。
【００１５】
上述した捕虫器にあって、筒状筐体が、取付基盤と側板とを締付螺子により結合してなるものであり、締付螺子を緊締することにより、開閉引戸を両摺動ガイドにより挟圧して任意の回動位置で保持可能とした構成が提案される。
【００１６】
かかる構成にあっては、設置場所又は期間（時間帯）に応じて、開閉引戸の回動位置を定めている場合に、締付螺子を緊締することにより、所定の回動位置から開閉引戸が動かないようにしたものである。これにより、例えば、開閉引戸は、粘着シートを視認できない回動位置で保持されれば、誤って粘着シートを視認可能な回動位置に移動することがなく、店舗などで求められる姿勢を確実に保つことができる。また、締付螺子を緩めれば、この保持状態を解除できることから、締付螺子を緊締したり、緩めることにより、開閉引戸を所定回動位置で保持する状態と移動可能状態とに容易に変換できる。
【００１７】
上述した捕虫器にあって、筒状筐体の取付基盤は、その背側となる部位に、開閉引戸が捕虫開口を閉鎖する閉鎖回動位置に在る状態で開放される、複数の捕虫孔を備えた構成が提案される。
【００１８】
かかる構成にあっては、開閉引戸が捕虫開口を閉鎖した状態でも、正面視できない捕虫孔から、飛翔虫が内部に入ることができるようにしたものである。すなわち、捕虫開口を閉鎖していても、飛翔虫を捕獲可能となっている。また、この捕虫孔は、取付基盤の背側となる部位に配設されていることから、壁などに設置した場合でも、該壁側に面した状態となるため、内部の粘着シートを視認し難くなっている。
【００１９】
上述した捕虫器にあって、筒状筐体の取付基盤が、誘虫ランプを装着するソケットと、該ソケットの前方に配設され、装着された誘虫ランプの前方を覆うように粘着シートを張設する連結部材とを備えた構成が提案される。
【００２０】
かかる構成にあっては、粘着シートを誘虫ランプの前方に配することにより、捕虫開口を開放した場合に、飛翔虫をより効率良く捕獲できるようにしている。また、粘着シートを張設する連結部材は、粘着シートが弛まないように保持しており、飛翔虫を粘着して捕獲する効果を高めている。
【００２１】
上述した捕虫器にあって、筒状筐体又は／および開閉引戸が、光触媒を含有した樹脂から成形された構成が提案される。
【００２２】
本考案にあって、誘虫ランプは、一般的に多くの飛翔虫が好む３００〜４００ｎｍの紫外線を発するものであり、この波長の紫外線は、二酸化チタンなどの光触媒を光励起させることができる。本構成にあっては、筒状筐体又は／および開閉引戸が光触媒を含有したものとすることにより、誘虫ランプの紫外線を利用して、該光触媒を光励起させ、空気中の有機化合物を酸化して炭酸ガスを発生させるようにしたものである。これにより、誘虫ランプを点灯すれば、その紫外線が照射された捕虫器内部の炭酸ガス濃度が向上し、この炭酸ガスに強く誘引されるヤブ蚊等の有害な吸血蚊を捕獲する効果が著しく高まる。
【考案の効果】
【００２３】
本考案は上述したように、筒状筐体を構成する割筒状の取付基盤に、誘虫ランプと粘着シートとが装着されると共に、筒状筐体の両側板に形成された略円環状の摺動ガイドに、断面円弧状の開閉引戸が任意の回動位置に移動可能に装着されてなり、開閉引戸を回動することにより筒状筐体の捕虫開口を開閉するようにした構成の捕虫器である。この捕虫器は、その開閉引戸を設置場所に適した回動位置とすることにより、内部の粘着シートを視認できなくすることができると共に、期間（時間帯）毎に開閉引戸の回動位置を適宜変えることにより、粘着シートを視認できなくする効果と、捕虫効果とを適宜選択的に使い分けることができ得る。このため、店舗やオフィスなど清潔感が求められるところで、様々な場所に設置可能であり、かつその設置場所に適した使用が可能である。さらに、開閉引戸を、捕虫開口が開放する回動位置とすれば、該捕虫開口から粘着シートを容易に交換することもでき得る。
【００２４】
また、二枚の開閉引戸を、筒状筐体の両側板の摺動ガイドに夫々連係させて移動可能に装着した構成にあっては、開閉引戸の回動距離に制限が生じている場合にも、比較的広い幅に形成した捕虫開口を全体的に開放することができるため、捕虫効果を高め得ると共に、捕虫開口から粘着シートを交換する作業性が一層向上する。さらに、捕虫開口を部分的に開放させる場合に、その開放部分を幅方向で様々に設定することができる。
【００２５】
また、筒状筐体の取付基盤が、長手方向に沿って扁平した設置面部を備えた構成にあっては、壁や天井、又は台座などの平面に設置する場合に、その設置状態が安定する。
【００２６】
また、筒状筐体が、取付基盤と側板とを締付螺子により結合してなるものであり、締付螺子を緊締することにより、開閉引戸を両摺動ガイドにより挟圧して任意の回動位置で保持可能とした構成にあっては、開閉引戸を、粘着シートを視認できない回動位置、捕虫効果を高める回動位置など、設置場所及び期間（時間帯）毎に適した回動位置で保持できるから、各回動位置での作用効果を安定して確実に発揮でき得る。
【００２７】
また、筒状筐体の取付基盤が、その背側となる部位に、開閉引戸が捕虫開口を閉鎖する閉鎖回動位置に在る状態で開放される、複数の捕虫孔を備えた構成にあっては、捕虫開口を閉鎖している状態であっても、正面視できない捕虫孔から飛翔虫を捕獲できるため、粘着シートを捕虫開口から視認できない効果と、捕虫効果とを同時に発揮できるものである。
【００２８】
また、筒状筐体の取付基盤が、誘虫ランプを装着するソケットと、該ソケットの前方に配設され、装着された誘虫ランプの前方を覆うように粘着シートを張設する連結部材とを備えた構成にあっては、誘引ランプにより誘引された飛翔虫を、該誘引ランプの前方に配した粘着シートにより効率良く捕獲でき得る。
【００２９】
また、筒状筐体又は／および開閉引戸が、光触媒を含有した樹脂から成形された構成にあっては、誘引ランプから照射された紫外線により、光触媒が空気中の有機化合物を酸化する作用を生じ、この作用により発生した炭酸ガスが捕虫器内部の炭酸ガス濃度を高めるため、有害な吸血蚊を捕獲する効果が向上する。
【考案を実施するための最良の形態】
【００３０】
本考案の実施形態を、以下の実施例に従って説明する。
図１〜４に示すように、捕虫器１は、両端を閉鎖した略円筒形となっており、割筒状の取付基盤１１と側板２１，２１とからなる筒状筐体２と、筒状筐体２の正面に開口形成された捕虫開口１０を開閉する二枚の断面円弧状の開閉引戸３，３とから構成されている。そして、この捕虫器１は、その内部に、誘虫ランプ５と粘着シート６とが配設されたものである。
【００３１】
上記した筒状筐体２を構成する取付基盤１１は、円筒を半割した割筒形をなすと共に、その周方向中央部分を長手方向に扁平した形状となっている。ここで、この扁平な部位が設置面部１２であり、該設置面部１２の両側に在る曲面状の部位が背側曲面部１３，１３である。そして、この背側曲面部１３，１３には、内外に連通する捕虫孔１５が複数形成されている。さらに、本実施例にあっては、割筒形の両端に略円板形の筒端面部１４，１４を有している。この筒端面部１４，１４の中心に、後述する締付螺子２５，２５を挿通する挿通孔（図示省略）が形成されている。
【００３２】
この筒状筐体２の取付基盤１１には、その内側に、インバータを内部に配設したケース（図示省略）と、誘虫ランプ５を装着するソケット１６，１６と、粘着シート６を装着する連結部材１７ａ，１７ｂとが設けられている。ここで、誘虫ランプ５は、本実施例にあって、直管状蛍光灯からなり、波長波長３００〜４００ｎｍの紫外線を発し、該紫外線によって多くの飛翔虫を誘引するものとしている。この誘虫ランプ５が、取付基盤１１の、前記ケースを除く領域で、長手方向に沿って装着されるように、ソケット１６，１６が取付基盤１１に配設されている。このソケット１６，１６は、誘虫ランプ５を着脱可能に装着するものであり、上記したインバータと接続されている。
【００３３】
上記した連結部材１７ａ，１７ｂは、帯状の粘着シート６を張設するものであり、張設状態で該粘着シート６が、誘引ランプ５を前方から覆うように、各ソケット１６，１６の前方に配設されている。この粘着シート６は、その一側縁に固定支持具７ａが結合されており、他側縁に取付フック７ｂが結合されている。そして、連結部材１７ａは、固定支持具７ａを前方から着脱可能に係止できるものであり、連結部材１７ｂは、取付フック７ｂを係止する金属製のクリップ形となっている。すなわち、粘着シート６は、その固定支持具７ａを連結部材１７ａに係止した後、取付フック７ｂに連結部材１７ｂを撓ませながら係止することにより、連結部材１７ｂの固有の弾性力により付勢されて張設されるのである。尚、粘着シート６は、その両面に粘着剤が塗布されている。
【００３４】
取付基盤１１の両側の筒端面部１４，１４には、側板２１，２１が締付螺子２５，２５により結合されている。この側板２１，２１は、係合状態で、取付基盤１１の設置面部１２より背方へ突出しないように欠円状とした略円板形をなしている。側板２１，２１の中心には、前記した締付螺子２５，２５を挿通する挿通孔（図示省略）が夫々形成されている。そして、側板２１，２１を、その挿通孔が筒端面部１４，１４の挿通孔と重なるように、筒端面部１４，１４を外側から被覆し、締付螺子２５，２５を外側から両挿通孔に通して、内側で締付用ナット２６，２６に螺合させることにより、取付基盤１１と結合している。さらに、側板２１，２１と取付基盤１１の筒端面部１４，１４との間には、樹脂製の座金２７，２７を配しており、締付螺子２５，２５の締付けを緩めた場合にも、結合状態が充分に維持されるようにしている。
【００３５】
この側板２１，２１の内面には、その外周縁に沿って溝状の摺動ガイド２２，２２が夫々形成されている（図３参照）。この摺動ガイド２２，２２は、略円環状をなし、互いに対向するように形成されている。
【００３６】
このように筒状筐体２は、取付基盤１１と側板２１，２１とから構成されるものであり、側板２１，２１間に前方を開口する捕虫開口１０が形成されている。この捕虫開口１０は、半円筒形をなす取付基盤１１の長手方向に沿った側辺間を開口幅としており、幅広状となっている。
【００３７】
上述した筒状筐体２の両側板２１，２１の摺動ガイド２２，２２に、二枚の開閉引戸３，３が移動可能に装着されている。各開閉引戸３，３は、その断面が略１／４円弧形の湾曲板状となっており、その両端を、摺動ガイド２２，２２を構成する溝に挿入して、該摺動ガイド２２，２２に連係されている。すなわち、開閉引戸３，３は、摺動ガイド２２，２２に従って、回動可能となっている。この開閉引戸３，３は、その長さが、側板２１，２１が取付基盤１１と結合された状態で、両摺動ガイド２２，２２の溝底面間距離とほぼ同じ寸法となっている。これにより、側板２１，２１を上記した締付螺子２５，２５で緊締することにより、摺動ガイド２２，２２により挟持されて回動できないようにしている。そして、この締付螺子２５，２５を緊締した状態から緩めることにより、開閉引戸３，３が回動可能となる。尚、摺動ガイド２２，２２は、各側板２１，２１に夫々一本だけ形成されていることから、二枚の開閉引戸３，３が内外方向に重なることはない。
【００３８】
本実施例にあっては、開閉引戸３，３の、前面側となる側辺に、長手方向に沿って僅かに窪んだ溝部３３，３３が夫々形成されている。これにより、開閉引戸３，３を、前面側で、互いに対向する側辺同士を当接させた場合にも、長手方向に沿って細長い孔が形成されるようになっている（図１参照）。この細長い孔は、極狭い幅であるから、内部の粘着シート６を、正面から視認できるものではなく、かつ、小さな飛翔虫が通過できるものとなっている。このため、開閉引戸３，３が捕虫開口１０を閉鎖した状態（図３（Ａ）参照）でも、捕虫することが可能となっている。
【００３９】
二枚の開閉引戸３，３は、図３（Ａ）のように、前面側で、互いに対向する側辺同士を当接させることにより、捕虫開口１０を閉鎖する（図１（Ａ）参照）。この捕虫開口１０を閉鎖した状態の、開閉引戸３，３の回動位置を閉鎖回動位置ｘ、ｘとする。このように開閉引戸３，３が閉鎖回動位置ｘ、ｘに在る場合には、捕虫開口１０が閉鎖され、当該捕虫器１の内部を正面から視認できないこととなる。そして、この開閉引戸３，３は、略１／４円弧断面形であることから、この閉鎖回動位置ｘ、ｘに在る場合には、上記した取付基盤１１の全捕虫孔１５が開放した状態となる。このため、捕虫開口１０が閉鎖されていても、捕虫孔１５から飛翔虫を捕獲することができるのである。
【００４０】
また、図３（Ｂ）又は図４（Ａ）のように、両開閉引戸３，３をそれぞれ周方向の両側へ移動すれば、捕虫開口１０が開放される。ここで、図３（Ｂ）のように、捕虫器１を、その設置面部１２が天井、壁ｐ、台座などと接触するように設置した場合には、開閉引戸３，３を、取付基盤１１の設置面部１２の裏側へ移動できないことから、捕虫開口１０を最も開放する開放回動位置ｙ、ｙでも、捕虫開口１０の開放幅が制限されることとなっている。一方、図４（Ａ）のように、捕虫器１を、その側板２１，２１に取り付けた吊持用杆２８，２８（図１参照）を用いて吊持した場合や、台座などの上に立てて置いた場合等では、開閉引戸３，３を、取付基盤１１の設置面部１２の裏側まで回動することができるから、裏側で、互いに対向する側辺同士を当接することにより、捕虫開口１０をほぼ全開放することができる。この回動位置を全開放回動位置ｚ，ｚとする。
【００４１】
ここで、開閉引戸３，３が、上記した開放回動位置ｙ、ｙ又は全開放回動位置ｚ、ｚに在る場合には、取付基盤１１の背側曲面部１３，１３を覆った状態となるため、全ての捕虫孔１５が閉鎖された状態となる。すなわち、この状態では、大きく開口した捕虫開口１０から飛翔虫を捕獲することができ、上記した捕虫孔１５から飛翔虫を捕獲する状態に比して、捕獲効果が高くなる。
【００４２】
さらに、捕虫器１を壁ｐの上部に横向きに設置した場合にあっては、図４（Ａ）のように、開閉引戸３，３を下側へ回動した上部開放回動位置ｗ、ｗとすることにより、捕虫開口１０の上部が開放し、かつ、上側の背側曲面部１３に形成された捕虫孔１５が開放された状態となる。この状態では、捕虫開口１０の前部及び下部が閉じており、かつ、下側の背側曲面部１３に形成された捕虫孔１５が閉鎖されている。すなわち、当該捕虫器１の下方から粘着シート６を視認できないと共に、その上部から捕虫することができるのである。尚、本実施例にあって、下側の開閉引戸３では、開放回動位置ｙと上部開放回動位置ｗとが同じ回動位置となる。
【００４３】
本実施例の捕虫器１にあっては、粘着シート６の幅を、開閉引戸３，３が上記した開放回動位置ｙ、ｙに在る状態における、捕虫開口１０の開口幅より狭くなるように設定している。これにより、捕虫器１を天井や壁ｐに設置した場合にあっても、開閉引戸３，３を開放回動位置ｙ、ｙとすれば、捕虫開口１０から粘着シート６を脱着することができ、この交換作業を容易かつ短時間で実施できる。
【００４４】
また、上記した開閉引戸３，３は、光触媒を含有した樹脂から成形加工して得たプラスチック製としている。誘虫ランプ５を点灯した状態では、開閉引戸３，３の内面に照射された紫外線により、光触媒が光励起されて空気中の有機化合物を酸化して炭酸ガスを発生させる。これにより、捕虫器１の内部では炭酸ガス濃度が高まるため、該炭酸ガスに強く誘引される有害な吸血蚊の捕獲効果が向上する。
【００４５】
上述したように、本実施例の捕虫器１は、開閉引戸３，３を任意の回動位置に移動することにより、捕虫開口１０を開放又は部分的に開放したり、閉鎖したりすることができる。そして、開閉引戸３，３の回動位置に従って、筒状筐体２の取付基盤１１に設けた複数の捕虫孔１５も開閉されるようになっている。すなわち、この捕虫器１は、設置場所に応じて、開閉引戸３，３の回動位置を定めることにより、内部に配設した粘着シート６を視認できないようにすることができる。また、期間（時間帯）に応じて、開閉引戸３，３の回動位置を変化させるようにすれば、粘着シート６を視認できなくする状態と、捕虫開口１０をできるだけ大きく開口して捕虫効果を高める状態とに変換することもできるのである。
【００４６】
例えば、捕虫器１を、図４（Ａ）のように、壁ｐの上部に横向きに設置した場合には、その開閉引戸３，３を上部開放回動位置ｗ，ｗとすることにより、下方から粘着シート６を視認できず、かつ上部から捕虫できることとなる。ここで、開閉引戸３，３を、上部開放回動位置ｗ，ｗで常時保持しておくようにしても良いし、また、特定の時間帯に限って、開放回動位置ｙ、ｙとして、捕虫効果を高めるようにしても良い。捕虫器１を店舗やオフィスなどに設置した場合、その開店時間内では上部開放回動位置ｗ，ｗとし、閉店時間内では開放回動位置ｙ、ｙとすることにより、時間帯に応じて、粘着シート６を視認できない効果と、捕虫効果を高める効果とを、使い分けることもできるのである。
【００４７】
また、捕虫器１を、天井に下向きに設置したり、壁ｐに縦向きに設置した場合等では、開閉引戸３，３を、店舗やオフィスなどの開店時間内で閉鎖回動位置ｘ，ｘとし、閉店時間内で開放回動位置ｙ，ｙとする。これにより、粘着シート６を視認できない効果と、捕虫効果を高める効果とを、適宜発揮できることとなる。さらにまた、捕虫器１を、その側板２１，２１に取り付けた吊持用杆２８，２８（図１参照）に用いて、捕虫開口１０を上側として横向きに天井から吊持した場合には、開閉引戸３，３を全開放回動位置ｚ，ｚとして（図４（Ｂ）参照）、下方から全ての捕虫孔１５が視認できないようにする。この場合、上方を向いた捕虫開口１０が全開となっていることから、捕虫効果も高い。
【００４８】
このように、捕虫器１は、設置場所および設置場所への設置方法に応じて、開閉引戸３，３の回動位置を、常時又は時間帯毎に適宜設定することにより、内部の粘着シート６を視認できない作用効果と、捕虫効果を向上させる作用効果とを両立することができる。したがって、本実施例の捕虫器１は、比較的清潔な印象を必要とする店舗に好適に設置でき、かつ設置場所も適宜選択できるのである。
【００４９】
尚、本考案の天井板用吊持杆は、上記実施例の形態に限定されるものではなく、本考案の要旨を逸脱しない範囲内において種々変更を加え得ることは勿論である。例えば、筒状筐体の取付基盤に、設置面部を形成しない構成としても良い。また、吊持用杆２８，２８を設けていない構成とすることもできる。
【図面の簡単な説明】
【００５０】
【図１】捕虫器１の、（Ａ）正面図と、（Ｂ）側面図と、（Ｃ）背面図である。
【図２】同上の捕虫器１の、（Ａ）横断面図と、（Ｂ）縦断面図である。
【図３】捕虫器１の開閉引戸３，３が、（Ａ）閉鎖回動位置ｘ，ｘに在る状態と、（Ｂ）開放回動位置ｙ，ｙに在る状態を表す断面図である。
【図４】捕虫器１の開閉引戸３，３が、（Ａ）上部開放回動位置ｗ，ｗに在る状態と、（Ｂ）全開放回動位置ｚ，ｚに在る状態を表す断面図である。
【符号の説明】
【００５１】
１  捕虫器
２  筒状筐体
３  開閉引戸
５  誘虫ランプ
６  粘着シート
１０  捕虫開口
１１  取付基盤
１２  設置面部
１５  捕虫孔
１６  ソケット
１７ａ，１７ｂ  連結部材
２１  側板
２２  摺動ガイド
２５  締付螺子
【図１】
0003123391.tif 000003
【図２】
0003123391.tif 000004
【図３】
0003123391.tif 000005
【図４】
0003123391.tif 000006